(57)【要約】      （修正有）【課題】熟練を要せずに容易かつ迅速に軒パネルに雨樋を着脱自在に取付けることのできる軒パネルを提供する。【解決手段】軒パネルＲ１と連結レール１５を開発して屋根の軒部分に使用した最下位の屋根パネルである軒パネルと、壁の軒下部分に位置する最上位の壁パネルＷを連結レールをもって水密に熟練を要せずに容易かつ迅速に連結し、また、雨樋２０を連結レールを用いて軒パネルに熟練を要せずに容易かつ迅速に着脱自在に取付ける。【選択図】図２
2005282125.tif 000002
【特許請求の範囲】
【請求項１】
各種パネルを用いて組立構築したプレハブ式建築物構築物等において、屋根パネルを連結接続して構築した屋根の軒部分に使用する軒パネルを、長方形フレームの表裏両面に長方形の薄鋼板若しくはカラー鉄板からなる表裏面板を当接し、その４辺周縁部前、後、上、下の各枠材のＬ形突条に沿って２直角に折り曲げ固着し、長方形フレームと表裏面鋼板で囲った中空部内に硬質ウレタン、ロックウール、その他の充填材を充填して、表裏４辺側縁のコ形リブの間に溝状空間を形成し、前、後側面の溝状空間内に鉤形突条を、上側面の溝状空間内に庇形突条、鉤付突条及び小突条を、下側面の溝状空間内に鉤形軒突条、及びＬ形軒突条を、夫々突設して設け、
連結レールを、最上位の壁パネルの上辺部にボルトで固着する長尺板状の起立板の上部を内側に向かって曲成して鉤形部を形成し、該鉤形部の上面長手方向に雨樋を引掛ける小突起を突設して設け、
また、雨樋を、前後側板、底板で形成した長尺樋の後側板の上辺に連結レールの鉤形部に套着する山形部を曲成し、該山形部の上端下面に連結レールの小突起に引掛ける条溝を形成すると共に上端上面に雨除け板を起立して設け、
最上位の壁パネルの上辺の外側に連結レールの起立板をボルトで固着すると共に、その上端の鉤形部を屋根の軒部分を形成した軒パネルのＬ形突条に引掛け係合して、軒パネルと最上位の壁パネルを連結すると共に軒パネルと壁パネルの衝合部を水密にカバーして備え、
また、連結レールの鉤形部に雨樋の山形部を套着して、鉤形部の小突起を雨樋の条溝に嵌合すると共に雨除け板の上端を軒パネルの鉤形軒突条の下面に当接し、鉤形部に山形部をボルトで固着して、雨樋を連結レールに着脱自在に取付けるように備えたものである、
プレハブ式建築物構築物等の軒パネル及び雨樋。
【請求項２】
軒パネルを、パネルの厚さ寸法に略見合った幅の狭長板の長手方向両側辺にＬ形突条を形成し、一方のＬ形突条に平行して鉤形突条を突設した前、後枠材と、同じくパネルの厚さ寸法に略見合った幅の狭長板の長手方向両側辺にＬ形突条を形成し、下のＬ形突条に近接平行してＬ形突条より幅広な庇形突条を突設すると共に、上のＬ形突条と庇形突条の間にＬ形突条より狭幅な小突条と同幅若しくはやや幅広な鉤付突条を突設した上枠材、及び、上のＬ形突条に近接平行して、Ｌ形突条より広幅で先端を鉤状に曲成した鉤形軒突条を突設すると共に、下のＬ形突条に近接平行してＬ形突条より広幅のＬ形突条より広幅のＬ形軒突条を突設した軒用枠材をもって長方形フレームを形成し、
該長方形フレームの表裏両面に長方形の薄鋼板若しくはカラー鉄板からなる表裏面板を当接し、その４辺周縁部前、後、上、下の各枠材のＬ形突条に沿って２直角に折り曲げ固着し、長方形フレームと表裏面鋼板で囲った中空部内に硬質ウレタン、ロックウール、その他の充填材を充填して、表裏４辺側縁のコ形リブの間に溝状空間を形成し、前、後側面の溝状空間内に鉤形突条を、上側面の溝状空間内に庇形突条、鉤付突条及び小突条を、下側面の溝状空間内に鉤形軒突条、及びＬ形軒突条を、夫々突設して設けたものである、
請求項１記載のプレハブ式建築物構築物等の軒パネル及び雨樋。
【請求項３】
連結レールを、最上位の壁パネルの上辺部にボルトで固着する長尺板状の起立板の上部を内側に向かって曲成して鉤形部を形成し、該鉤形部の上面長手方向に雨樋を引掛ける小突起を突設して設けたものである、
請求項１記載のプレハブ式建築物構築物等の軒パネル及び雨樋。
【請求項４】
雨樋を、前後側板、底板で形成した長尺樋の後側板の上辺に連結レールの鉤形部に套着する山形部を曲成し、該山形部の上端下面に連結レールの小突起に引掛ける条溝を形成すると共に上端上面に雨除け板を起立して設けたものである、
請求項１記載のプレハブ式建築物構築物等の軒パネル及び雨樋。
【発明の詳細な説明】
【技術分野】
【０００１】
本発明は、屋根パネル、壁パネル等の各種パネルを用いて組立構築したプレハブ式建築物構築物等、例えばプレハブ式の各種倉庫、オフィイス、住宅、作業場、クリーンルーム、冷凍・冷蔵倉庫、冷凍・冷蔵庫、その他の建築物構築物等において、屋根パネルを上下方向及び左右方向に連結接続して構築した屋根の軒部分に使用する最下位の屋根パネルである軒パネルと、壁パネルを上下方向及び左右方向に連結接続して構築した壁の軒下部分に位置する最上位の壁パネルを水密に連結する連結レール、及び軒パネルと連結レールに着脱自在に取付ける雨樋に係るものである。
【背景技術】
【０００２】
従来の上記各種プレハブ式建築物構築物等においては、屋根の軒部分に使用する最下位の屋根パネルとしても同じ屋根パネルをそのまま使用していた。
【０００３】
また、屋根の軒部分への雨樋の取付についても格別の構造的配慮がなされていないため、既存の雨樋を雨樋金具でねじ釘止めなどで取付けていた
【発明の開示】
【発明が解決しようとする課題】
【０００４】
従来の上記各種プレハブ式建築物構築物等においては、屋根の軒部分に使用する最下位の屋根パネルとしても同じ屋根パネルをそのまま使用していたため、軒部分に庇の役目を果たす構成が無く、そのため風雨、雨水、雨垂れ等に対する水密防水対策が不足な課題があり、
【０００５】
また、軒部分への雨樋の取付についても格別の構造的配慮がなされてなく、既存の雨樋を雨樋金具でねじ釘止めなどで取付けていたため、極めて手数がかかる上に体裁が悪く取付強度不足な課題があった。
【０００６】
そこで、本発明は、上記従来の課題を解決するにつき、本発明に独自な構成の軒パネルと連結レールを開発し、もって、屋根の軒部分に使用した最下位の屋根パネルである軒パネルと、壁の軒下部分に位置する最上位の壁パネルとを連結レールをもって水密に熟練を要せずに容易かつ迅速に連結し、
【０００７】
また、本発明に独自な構成の雨樋を開発し、該雨樋を連結レールを用いて軒パネルに熟練を要せずに容易かつ迅速に着脱自在に取付けるように備えて課題を解決したものである。
【課題を解決するための手段】
【０００８】
各種パネルを用いて組立構築したプレハブ式建築物構築物等において、屋根パネルを連結接続して構築した屋根の軒部分に使用する軒パネルを、長方形フレームの表裏両面に長方形の薄鋼板若しくはカラー鉄板からなる表裏面板を当接し、その４辺周縁部前、後、上、下の各枠材のＬ形突条に沿って２直角に折り曲げ固着し、長方形フレームと表裏面鋼板で囲った中空部内に硬質ウレタン、ロックウール、その他の充填材を充填して、表裏４辺側縁のコ形リブの間に溝状空間を形成し、前、後側面の溝状空間内に鉤形突条を、上側面の溝状空間内に庇形突条、鉤付突条及び小突条を、下側面の溝状空間内に鉤形軒突条、及びＬ形軒突条を、夫々突設して設け、
【０００９】
連結レールを、最上位の壁パネルの上辺部にボルトで固着する長尺板状の起立板の上部を内側に向かって曲成して鉤形部を形成し、該鉤形部の上面長手方向に雨樋を引掛ける小突起を突設して設け、
【００１０】
また、雨樋を、前後側板、底板で形成した長尺樋の後側板の上辺に連結レールの鉤形部に套着する山形部を曲成し、該山形部の上端下面に連結レールの小突起に引掛ける条溝を形成すると共に上端上面に雨除け板を起立して設け、
【００１１】
最上位の壁パネルの上辺の外側に連結レールの起立板をボルトで固着すると共に、その上端の鉤形部を屋根の軒部分を形成した軒パネルのＬ形突条に引掛け係合して、軒パネルと最上位の壁パネルを連結すると共に軒パネルと壁パネルの衝合部を水密にカバーして備え、
【００１２】
また、連結レールの鉤形部に雨樋の山形部を套着して、鉤形部の小突起を雨樋の条溝に嵌合すると共に雨除け板の上端を軒パネルの鉤形軒突条の下面に当接し、鉤形部に山形部をボルトで固着して、雨樋を連結レールに着脱自在に取付けるように備えた、プレハブ式建築物構築物等の軒パネル及び雨樋によって課題を解決したものである。
【発明の効果】
【００１３】
本発明は、本発明に独自な構成の軒パネルと連結レールをもって、屋根の軒部分に使用した最下位の屋根パネルである軒パネルと、壁の軒下部分に位置する最上位の壁パネルとを連結レールをもって水密に熟練を要せずに容易かつ迅速に連結し得る。
【００１４】
また、本発明に独自な構成の雨樋を連結レールを用いて軒パネルに熟練を要せずに容易かつ迅速に着脱自在に取付け得る。
【００１５】
軒パネルの鉤形軒突条が雨水を効率的に流下すると共に、該鉤形軒突条の下面に雨樋の雨除け板を起立したので、風雨を有効に防ぎ得る。
また、それでも浸入した雨水を連結レールの鉤形部から軒パネルのL形軒突条に流下し、該L形軒突条を樋として排水し得る。
【発明を実施するための最良の形態】
【００１６】
軒パネルと連結レールを用いて、屋根の軒部分に使用した最下位の屋根パネルである軒パネルと、壁の軒下部分に位置する最上位の壁パネルとを連結レールをもって水密に熟練を要せずに容易かつ迅速に連結構成し、
【００１７】
また、雨樋を連結レールに引掛けて、熟練を要せずに容易かつ迅速に着脱自在に取付ける。
【実施例１】
【００１８】
図１〜図１１を参照。
図１は基礎、骨組に壁パネル、屋根パネル、軒パネルを連結構築したプレハブ式建築物構築物の一部縦断面図、図２は図１の屋根の軒パネル最上位壁パネルとの連結部分の一部断面拡大図、図３は軒パネルの正面図、平面図、右側面図、及び左側面図、図４は図３のＡ-Ａ線断面矢視拡大図、図５は図３のＢ-Ｂ線断面矢視拡大図、図６は前、後枠材の正面図、平面図、右側面図、及びＣ-Ｃ線断面矢視拡大図、図７は上枠材の正面図、平面図、右側面図、及びＤ-Ｄ線断面矢視拡大図、図８は下枠材の正面図、平面図、右側面図、及びＥ-Ｅ線断面矢視拡大図、図９は連結レールの正面図、平面図、及びＦ-Ｆ線断面矢視図、図１０は雨樋の正面図、及び平面図、図１１は図１０のＧ-Ｇ線断面矢視図である。
【００１９】
図１のプレハブ式建築物構築物等において、符号３０は形鋼材で構成した骨組。３１はコンクリートの基礎。
３２は骨組３０に固定したコ形鋼等の胴縁であり、該胴縁３２に連結金具３４で壁パネルＷを取付けて壁を構築する。
３３は骨組３０に固定したＨ形鋼等の梁であり、該梁３３に連結金具３４で屋根パネルＲおよび軒パネルＲ１を取付けて屋根、軒を構築する。
【００２０】
各種パネルを用いて組立構築したプレハブ式建築物構築物等(図１参照)において、
屋根パネルＲを連結接続して構築した屋根の軒部分に使用する軒パネルＲ１を、長方形フレームの表裏両面に長方形の薄鋼板若しくはカラー鉄板からなる表裏面板１１を当接し、その４辺周縁部前、後、上、下３、３、７、１０の各枠材のＬ形突条１に沿って２直角に折り曲げ固着し、長方形フレームと表裏面板１１で囲った中空部内に硬質ウレタン、ロックウール、その他の充填材１２を充填して、表裏４辺側縁のコ形リブ１３の間に溝状空間１４を形成し、前、後側面の溝状空間１４内に鉤形突条２を、上側面の溝状空間１４内に庇形突条４、鉤付突条６及び小突条５を、下側面の溝状空間１４内に鉤形軒突条８、及びＬ形軒突条９を、夫々突設して設け、
【００２１】
連結レール１５を、最上位の壁パネルＷの上辺部にボルト１６で固着する長尺板状の起立板１７の上部を内側に向かって曲成して鉤形部１８を形成し、該鉤形部１８の上面長手方向に雨樋２０を引掛ける小突起１９を突設して設け、
また、雨樋２０を、前後側板２１、２２、底板２３で形成した長尺樋の後側板２２の上辺に連結レール１５の鉤形部１８に套着する山形部２４を曲成し、該山形部２４の上端下面に連結レール１５の小突起１９に引掛ける条溝２５を形成すると共に上端上面に雨除け板２６を起立して設け、
【００２２】
最上位の壁パネルＷの上辺の外側に連結レール１５の起立板１７をボルト１６で固着すると共に、その上端の鉤形部１８を屋根の軒部分を形成した軒パネルＲ１のＬ形突条９に引掛け係合して、軒パネルＲ１と最上位の壁パネルＷを連結すると共に軒パネルＲ１と壁パネルＷの衝合部を水密にカバーして備え、
また、連結レール１５の鉤形部１８に雨樋２０の山形部２４を套着して、鉤形部１８の小突起１９を雨樋２０の条溝２５に嵌合すると共に雨除け板２６の上端を軒パネルＲ１の鉤形軒突条８の下面に当接し、鉤形部１８に山形部２４をボルト２７で固着して、雨樋２０を連結レール１５に着脱自在に取付けるように備えた、プレハブ式建築物構築物等の軒パネル及び雨樋である。
【００２３】
「軒パネル」
軒パネルＲ１は、  パネルの厚さ寸法に略見合った幅の狭長板の長手方向両側辺にＬ形突条１を形成し、一方のＬ形突条１に平行して鉤形突条２を突設した前、後枠材３、３と、同じくパネルの厚さ寸法に略見合った幅の狭長板の長手方向両側辺にＬ形突条１を形成し、下のＬ形突条１に近接平行してＬ形突条１より幅広な庇形突条４を突設すると共に、上のＬ形突条１と庇形突条４の間にＬ形突条１より狭幅な小突条５と同幅若しくはやや幅広な鉤付突条６を突設した上枠材７、及び、上のＬ形突条１に近接平行して、Ｌ形突条１より広幅で先端を鉤状に曲成した鉤形軒突条８を突設すると共に、下のＬ形突条１に近接平行してＬ形突条１より広幅のＬ形軒突条９を突設した軒用の下枠材１０をもって長方形フレームを形成し、
【００２４】
該長方形フレームの表裏両面に長方形の薄鋼板若しくはカラー鉄板からなる表裏面板１１を当接し、その４辺周縁部前、後、上、下の各枠材３、３、７、１０のＬ形突条１に沿って２直角に折り曲げ固着し、長方形フレームと表裏面板１１で囲った中空部内に硬質ウレタン、ロックウール、その他の充填材１２を充填して、表裏４辺側縁のコ形リブ１３の間に溝状空間１４を形成し、前、後側面の溝状空間１４内に鉤形突条２を、上側面の溝状空間１４内に庇形突条４、鉤付突条６及び小突条５を、下側面の溝状空間１４内に鉤形軒突条８、及びＬ形軒突条９を夫々突設して設けたものである。
【００２５】
「連結レール」
連結レール１５は、最上位の壁パネルＷの上辺部にボルト１６で固着する長尺板状の起立板１７の上部を内側に向かって曲成して鉤形部１８を形成し、該鉤形部１８の上面長手方向に雨樋２０を引掛ける小突起１９を突設して設けたものである。
【００２６】
連結レール１５は屋根の最下段の軒パネルＲ１の下側面のＬ形軒突条９に引掛け係合連結すると共に、軒パネルＲ１と壁パネルＷの衝合部を水密にカバーするものであり、併せて、その外側に雨樋２０を取付けるものである。
【００２７】
「雨樋」
雨樋２０は、前後側板、底板２１、２２、２３で形成した長尺樋の後側板２２の上辺に連結レール１５の鉤形部１８に套着する山形部２４を曲成し、該山形部２４の上端下面に連結レール１５の小突起１９に引掛ける条溝２５を形成すると共に上端上面に雨除け板２６を起立して設けたものである。
【産業上の利用可能性】
【００２８】
軒パネルと、連結レール、及び雨樋を用意するだけで、プレハブ式建築物構築物の軒と壁の接続連結及び雨樋の取付を、熟練作業不要で、簡単迅速に、強固かつ高精度水密構成に構築することができるため、各種のプレハブ式建築物構築物に汎用することができる。
【図面の簡単な説明】
【００２９】
【図１】基礎、骨組に壁パネル、屋根パネル、軒パネルを連結構築したプレハブ式建築物構築物の一部縦断面図。
【図２】図１の屋根の軒パネル最上位壁パネルとの連結部分の一部断面拡大図。
【図３】軒パネルの正面図、平面図、右側面図、及び左側面図。
【図４】図３のＡ-Ａ線断面矢視拡大図。
【図５】図３のＢ-Ｂ線断面矢視拡大図。
【図６】前、後枠材の正面図、平面図、右側面図、及びＣ-Ｃ線断面矢視拡大図。
【図７】上枠材の正面図、平面図、右側面図、及びＤ-Ｄ線断面矢視拡大図。
【図８】下枠材の正面図、平面図、右側面図、及びＥ-Ｅ線断面矢視拡大図。
【図９】連結レールの正面図、平面図、及びＦ-Ｆ線断面矢視図。
【図１０】雨樋の正面図、及び平面図。
【図１１】図１０のＧ-Ｇ線断面矢視図。
【符号の説明】
【００３０】
Ｒ    屋根パネル
Ｒ１  軒パネル
Ｗ    壁パネル
１    Ｌ形突条
２    鉤形突条
３    前、後枠材
４    庇形突条
５    小突条
６    鉤付突条
７    上枠材
８    鉤形軒突条
９    Ｌ形軒突条
１０  下枠材
１１  表、裏面板
１２  充填材
１３  コ形リブ
１４  溝状空間
１５  連結レール
１６  ボルト
１７  起立板
１８  鉤形部   
１９  小突起
２０  雨樋
２１  前側板
２２  後側板
２３  底板
２４  山形部
２５  条溝
２６  雨除け板
２７  ボルト  
３０  骨組
３１  基礎
３２  胴縁
３３  梁
３４  連結金具
【図１】
2005282125.tif 000003
【図２】
2005282125.tif 000004
【図３】
2005282125.tif 000005
【図４】
2005282125.tif 000006
【図５】
2005282125.tif 000007
【図６】
2005282125.tif 000008
【図７】
2005282125.tif 000009
【図８】
2005282125.tif 000010
【図９】
2005282125.tif 000011
【図１０】
2005282125.tif 000012
【図１１】
2005282125.tif 000013